(57)【要約】【課題】手でも足でも簡単に操作してノズルヘッドを押圧することができる手指消毒スタンドを提供する。【解決手段】支柱１１の内部に配置され、足踏みペダル１５が踏まれるのに連動してプッシャー１４を支持台１２の側に移動させるシャフト１６と、シャフト１６をプッシャー１４の側に付勢する付勢部材１７と、両端が開放された中空状であり、シャフト１６が間隔を開けて中に挿入され、プッシャー１４に連結されて連動する中空スライドシャフト１８と、支柱１１の内部に配設され、中空スライドシャフト１８を転がり案内により支柱１１の長さ方向に移動可能とする直動機構部１９とを備える。【選択図】図１
0003230766.tif 000002
【実用新案登録請求の範囲】
【請求項１】
容器にノズルヘッドが取り付けられたプッシュボトルを保持し、前記ノズルヘッドを押圧することにより前記容器に収納した内容物を吐出させる手指消毒スタンドであって、
中空状の支柱と、
前記支柱を支持する支持台と、
前記支柱に配設され、前記プッシュボトルを所定の高さに保持する保持部と、
前記ノズルヘッドを押圧するためのプッシャーと、
前記支持台に配設された足踏みペダルと、
前記支柱の内部に配置され、前記足踏みペダルに連結されており、前記足踏みペダルが踏まれるのに連動して前記支持台の側に移動し、前記プッシャーを前記支持台の側に移動させるシャフトと、
前記シャフトを前記プッシャーの側に付勢し、前記足踏みペダルが踏まれていない時に前記シャフトを基準位置に保持する付勢部材と、
両端が開放された中空状であり、前記シャフトが間隔を開けて中に挿入され、前記プッシャーに連結されて連動する中空スライドシャフトと、
前記支柱の内部に配設され、前記中空スライドシャフトを転がり案内により前記支柱の長さ方向に移動可能とする直動機構部と
を備えたことを特徴とする手指消毒スタンド。
【請求項２】
前記付勢部材は、前記支柱の内部に配設されたことを特徴とする請求項１記載の手指消毒スタンド。
【請求項３】
前記保持部は、前記プッシュボトルを載置するテーブルと、前記テーブルを前記支柱に固定するテーブル固定部と、前記テーブルに前記プッシュボトルを固定するボトルホルダーとを有し、
前記テーブル固定部は、前記支柱の長さ方向において前記テーブルの固定位置を変更可能であり、
前記ボトルホルダーは、前記プッシュボトルに合わせて位置を調節可能である
ことを特徴とする請求項１又は請求項２記載の手指消毒スタンド。
【考案の詳細な説明】
【技術分野】
【０００１】
本考案は、容器にノズルヘッドが取り付けられたプッシュボトルを保持し、ノズルヘッドを押圧することにより容器に収納した内容物を吐出させる手指消毒スタンドに関する。
【背景技術】
【０００２】
近年、新型インフルエンザや新型コロナウイルスの流行により、これらの予防対策として手の消毒について関心が高まっている。そこで、簡単に手を消毒できるように、様々な場所において消毒液を手に注げるようにした装置が設置されている。このような装置としては、例えば、消毒液を入れたプッシュボトルを所定の高さに保持し、足踏みペダルを踏むことによりノズルヘッドが押されて、利用者が立ったまま手を差し出して消毒液を受けることができるようにした手指消毒スタンドが知られている（例えば、特許文献１参照）。
【先行技術文献】
【特許文献】
【０００３】
【特許文献１】特開２００８−２２９２９６号公報
【考案の概要】
【考案が解決しようとする課題】
【０００４】
しかしながら、従来の手指消毒スタンドでは、足踏みペダルを踏まないと消毒液を吐出させることができないので、手でノズルヘッドを押して消毒液を吐出させたくても吐出させることができず、不便な場合があるという問題があった。
【０００５】
本考案は、このような問題に基づきなされたものであり、手でも足でも簡単に操作してノズルヘッドを押圧することができる手指消毒スタンドを提供することを目的とする。
【課題を解決するための手段】
【０００６】
本考案の手指消毒スタンドは、容器にノズルヘッドが取り付けられたプッシュボトルを保持し、ノズルヘッドを押圧することにより容器に収納した内容物を吐出させるものであって、中空状の支柱と、支柱を支持する支持台と、支柱に配設され、プッシュボトルを所定の高さに保持する保持部と、ノズルヘッドを押圧するためのプッシャーと、支持台に配設された足踏みペダルと、支柱の内部に配置され、足踏みペダルに連結されており、足踏みペダルが踏まれるのに連動して支持台の側に移動し、プッシャーを支持台の側に移動させるシャフトと、シャフトをプッシャーの側に付勢し、足踏みペダルが踏まれていない時にシャフトを基準位置に保持する付勢部材と、両端が開放された中空状であり、シャフトが間隔を開けて中に挿入され、プッシャーに連結されて連動する中空スライドシャフトと、支柱の内部に配設され、中空スライドシャフトを転がり案内により支柱の長さ方向に移動可能とする直動機構部とを備えたものである。
【考案の効果】
【０００７】
本考案の手指消毒スタンドによれば、足踏みペダルが踏まれるのに連動してシャフトが支持台の側に移動し、プッシャーを支持台の側に移動させるようにしたので、足によりプッシャーを操作して、容易にノズルヘッドを押圧し、容器内の内容物を吐出させることができる。また、シャフトが間隔を開けて中に挿入された中空スライドシャフトをプッシャーに連結して連動するようにしたので、足踏みペダルとは独立して手によりプッシャーを押圧することができる。更に、中空スライドシャフトを転がり案内により支柱の長さ方向に移動可能とするようにしたので、中空スライドシャフトの長さを長くしなくても安定して移動させることができると共に、摩擦抵抗も小さくすることができ、これにより、押圧を停止した時にプッシュボトルのノズルヘッドが復位する力によりプッシャーを復位させることができ、かつ、手により軽い力でプッシャーを押圧することができる。よって、手でも足でも簡単に操作してノズルヘッドを押圧することができる。
【０００８】
また、付勢部材を支柱の内部に配設するようにすれば、付勢部材の損傷を防止しつつ、見た目も美しくすることができる。
【０００９】
更に、保持部材の固定位置を支柱の長さ方向において変更可能とすれば、足踏みペダルを踏んだ時にプッシャーがノズルヘッドを押す量を調整することができ、内容物の吐出量を調整することができる。加えて、プッシュボトルを固定するボトルホルダーの位置を調節可能とすれば、プッシュボトルの大きさや形に合わせて容易に固定することができる。
【図面の簡単な説明】
【００１０】
【図１】本考案の一実施の形態に係る手指消毒スタンドの全体構成を表す図である。
【図２】図１に示した手指消毒スタンドの一部の構成を拡大して表す図である。
【図３】図１に示した手指消毒スタンドの他の一部の構成を拡大して表す図である。
【考案を実施するための形態】
【００１１】
以下、本考案の実施の形態について、図面を参照して詳細に説明する。
【００１２】
図１から図３は、本考案の一実施の形態に係る手指消毒スタンド１０の構成を表すものである。この手指消毒スタンド１０は、容器２１にノズルヘッド２２が取り付けられたプッシュボトル２０を保持し、ノズルヘッド２２を押圧することにより容器２１に収納した消毒液等の内容物を吐出させるものである。なお、容器２１に収納する内容物は液状やゲル状等、吐出させることができるものであればどのようなものでもよい。また、吐出というのは、容器２１の内側から外側に内容物を出すことを意味し、霧状に噴霧する場合も含まれる。
【００１３】
手指消毒スタンド１０は、中空状の支柱１１と、支柱１１を支持する支持台１２と、支柱１１に配設され、プッシュボトル２０を所定の高さに保持する保持部１３と、ノズルヘッド２２を押圧するためのプッシャー１４と、支持台１２に配設された足踏みペダル１５とを備えている。支柱１１は、例えば、長さが５０ｃｍ〜１２０ｃｍ程度、外径が２０ｍｍ〜３０ｍｍ程度の管状あり、垂直方向に立てて配設されている。
【００１４】
保持部１３は、例えば、プッシュボトル２０を載置するテーブル１３Ａと、テーブル１３Ａを支柱１１に固定するテーブル固定部１３Ｂと、テーブル１３Ａにプッシュボトル２０を固定するボトルホルダー１３Ｃとを有している。テーブル固定部１３Ｂは、例えば、テーブル１３Ａに配設されており、支柱１１を挟持することにより固定することができるように構成されている。テーブル固定部１３Ｂは、支柱１１の長さ方向においてテーブル１３Ａの固定位置を変更可能であり、テーブル１３Ａを任意の位置で固定することができるようになっていることが好ましい。足踏みペダル１５を踏んだ時にプッシャー１４がノズルヘッド２２を押す量を調整することにより、内容物の吐出量を調整することができるからである。
【００１５】
ボトルホルダー１３Ｃは、例えば、ねじ等の固定具１３Ｄによりテーブル１３Ａに対して配設され、容器２１の下部を挟持して固定するように構成されている。テーブル１３Ａには、固定具１３Ｄを挿入してボトルホルダー１３Ｃを固定する穴（図示せず）が設けられている。この穴は、例えば、一方の長さに比べてそれと垂直方向の長さを長くして形成されることにより、又は、異なる位置に複数設けられることにより、プッシュボトル２０の大きさや形に合わせてボトルホルダー１３Ｃの位置を調節することができるように構成されていることが好ましい。
【００１６】
プッシャー１４は、例えば、支柱１１の上方に配置されており、テーブル１３Ａに載置したプッシュボトル２０のノズルヘッド２２の上に位置するように、テーブル１３Ａの固定位置が調整される。プッシャー１４の先端側には、例えば、ノズルヘッド２２に設けられているノズル２３を間に挟むように、隙間をあけて２つに分割された保持部１４Ａが下向きに傾斜して設けられていることが好ましい。足踏みペダル１５は、例えば、支持台１２に対して、足踏み側と反対側において回動可能に配設されており、足踏み側が上下に移動するようになっている。
【００１７】
手指消毒スタンド１０は、また、支柱１１の内部に配置されたシャフト１６を備えている。シャフト１６は、例えば、円柱棒状又は円管状であり、一端部が足踏みペダル１５に対して回動可能に連結され、足踏みペダル１５が踏まれるのに連動して支持台１２の側に移動するように構成されている。シャフト１６の他端部は、例えば、支柱１１よりも上まで突出して設けられ、プッシャー１４の後端側に設けられた貫通孔１４Ｂを貫通しており、プッシャー１４よりも上側にプッシャー１４を係止するための係止部１６Ａが設けられている。係止部１６Ａは、例えば、プッシャー１４の貫通孔１４Ｂよりも大きく鍔状に突出して設けられている。これにより、足踏みペダル１５が踏まれるのに連動してプッシャー１４を係止部１６Ａにより係止して支持台１２の側に移動させることができるようになっている。また、貫通孔１４Ｂとシャフト１６との間には間隔が開けられており、プッシャー１４とシャフト１６とは独立して移動可能とされている。
【００１８】
シャフト１６の足踏みペダル１５の側には、例えば、シャフト１６をプッシャー１４の側に付勢して足踏みペダル１５が踏まれていない時にシャフト１６を基準位置に保持するための付勢部材１７が配設されている。付勢部材１７は、支柱１１の内部に配設されていることが好ましい。付勢部材１７の損傷を防止しつつ、見た目も美しくすることができるからである。付勢部材１７は、例えば、ばねにより構成されており、付勢部材１７の一端部は支持台１２に当接され、他端部はシャフト１６に設けられた突起部１６Ｂに当接されている。
【００１９】
シャフト１６のプッシャー１４の側には、両端が開放された中空状の中空スライドシャフト１８が配置されている。中空スライドシャフト１８はプッシャー１４に連結されており、プッシャー１４と連動するように構成されている。中空スライドシャフト１８は、例えば、プッシャー１４の下側に配設されており、中にはシャフト１６が挿入されている。中空スライドシャフト１８とシャフト１６との間には間隔が開けられており、中空スライドシャフト１８とシャフト１６とは独立して移動可能とされている。また、中空スライドシャフト１８の外側には、転がり案内により中空スライドシャフト１８を支柱１１の長さ方向に移動可能とする直動機構部１９が設けられている。直動機構部１９は、支柱１１の内部に固定して配設されている。
【００２０】
これにより、プッシャー１４は、例えば、支柱１１の上端部とシャフト１６の係止部１６Ａとの間において、シャフト１６とは独立して移動可能となっており、手でプッシャー１４を押すことによりプッシュボトル２０のノズルヘッド２２を押圧することができるように構成されている。直動機構部１９は、例えば、リニアブッシュ（例えば、スライドブッシュ、リニアブッシング、リニアベアリング、又は、リニアボール軸受とも言う）により構成することができる。
【００２１】
なお、無給油ブッシュ等のすべり案内の軸受けを用いた場合には、ブッシュの長さを長くしないと安定して移動させることが難しく、摩擦抵抗も大きくなってしまう。そのため、プッシュボトル２０のノズルヘッド２２が復位する力ではプッシャー１４を復位させることが難しく、また、プッシャー１４を復位させるための付勢部材を配設すると、プッシャー１４を押すための力が大きくなり、軽い力で操作することが難しい。これに対して、転がり案内の直動機構部１９を用いれば、中空スライドシャフト１８の長さを長くしなくても安定して移動させることができると共に、摩擦抵抗も小さくすることができる。よって、プッシュボトル２０のノズルヘッド２２が復位する力によりプッシャー１４を復位させることができ、かつ、手により軽い力でプッシャー１４を押圧することができる。
【００２２】
シャフト１６のプッシャー１４の側には、また、例えば、シャフト１６のプッシャー１４の側を覆うカバー１４Ｃがプッシャー１４に配設されて設けられていることが好ましい。カバー１４Ｃは、プッシャー１４を押圧する押圧部としても機能するものである。更に、支柱１１のプッシャー１４の側には、例えば、取付部材１１Ａにより表示板１１Ｂが取り付けられていてもよい。取付部材１１Ａは、例えば、カバー１４Ｃとねじ等の固定部材１１Ｃにより固定されていることが好ましい。プッシャー１４が回転しないように固定するためである。
【００２３】
この手指消毒スタンド１０は、例えば、次のようにして用いることができる。まず、例えば、保持部１３のテーブル１３Ａの上にプッシュボトル２０を載置し、ボトルホルダー１３Ｃで固定する。また、プッシュボトル２０のノズルヘッド２２の上にプッシャー１４が位置するようにテーブル１３Ａの位置を調整し、ノズルヘッド２２とプッシャー１４との距離を微調整してテーブル１３Ａをテーブル固定部１３Ｂにより支柱１１に固定する。
【００２４】
次いで、足により操作して内容物を吐出させる場合には、足で足踏みペダル１５の足踏み側を踏む。足踏みペダル１５の足踏み側が下に移動すると、これに連動してシャフト１６が支持台１２の側に移動し、シャフト１６の係止部１６Ａに係止されてプッシャー１４が支持台１２の側に移動する。これにより、プッシャー１４がプッシュボトル２０のノズルヘッド２２を押圧し、容器２１に収納された消毒液等の内容物が吐出する。足で足踏みペダル１５を踏むのをやめると、付勢部材１７により、シャフト１６はプッシャー１４の側に移動して基準位置に保持されると共に、足踏みペダル１５の足踏み側は上に移動する。
【００２５】
また、手により操作して内容物を吐出させる場合には、手でカバー１４Ｃ又はプッシャー１４を押す。カバー１４Ｃ又はプッシャー１４が下に押されると、プッシャー１４及び中空スライドシャフト１８が直動機構部１９により案内されて支持台１２の側に移動する。この際、プッシャー１４及び中空スライドシャフト１８とシャフト１６との間には間隔が設けられているので、プッシャー１４及び中空スライドシャフト１８は、シャフト１６と独立して移動する。これにより、プッシャー１４がプッシュボトル２０のノズルヘッド２２を押圧し、容器２１に収納された消毒液等の内容物が吐出する。手でカバー１４を押すのをやめると、プッシュボトル２０のノズルヘッド２２が復位する力により、プッシャー１４が持ち上げられ、復位する。
【００２６】
このように本実施の形態によれば、足踏みペダル１５が踏まれるのに連動してシャフト１６が支持台１２の側に移動し、プッシャー１４を支持台１２の側に移動させるようにしたので、足によりプッシャー１４を操作して、容易にノズルヘッド２２を押圧し、容器２１内の内容物を吐出させることができる。また、シャフト１６が間隔を開けて中に挿入された中空スライドシャフト１８をプッシャー１４に連結して連動するようにしたので、足踏みペダル１５とは独立して手によりプッシャー１４を押圧することができる。更に、中空スライドシャフト１８を転がり案内により支柱１１の長さ方向に移動可能とするようにしたので、中空スライドシャフト１８の長さを長くしなくても安定して移動させることができると共に、摩擦抵抗も小さくすることができ、これにより、押圧を停止した時にプッシュボトル２０のノズルヘッド２２が復位する力によりプッシャー１４を復位させることができ、かつ、手により軽い力でプッシャー１４を押圧することができる。よって、手でも足でも簡単に操作してノズルヘッド２２を押圧することができる。
【００２７】
また、付勢部材１７を支柱１１の内部に配設するようにすれば、付勢部材１７の損傷を防止しつつ、見た目も美しくすることができる。
【００２８】
更に、保持部材１３の固定位置を支柱１１の長さ方向において変更可能とすれば、足踏みペダル１５を踏んだ時にプッシャー１４がノズルヘッド２２を押す量を調整することができ、内容物の吐出量を調整することができる。加えて、プッシュボトル２０を固定するボトルホルダー１３Ｃの位置を調節可能とすれば、プッシュボトル２０の大きさや形に合わせて容易に固定することができる。
【００２９】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３０】
１０…手指消毒スタンド、１１…支柱、１１Ａ…取付部材、１１Ｂ…表示板、１１Ｃ…固定部材、１２…支持台、１３…保持部、１３Ａ…テーブル、１３Ｂ…テーブル固定部、１３Ｃ…ボトルホルダー、１３Ｄ…固定具、１４…プッシャー、１４Ａ…保持部、１４Ｂ…貫通孔、１４Ｃ…カバー、１５…足踏みペダル、１６…シャフト、１６Ａ…係止部、１６Ｂ…突起部、１７…付勢部材、１８…中空スライドシャフト、１９…直動機構部、２０…プッシュボトル、２１…容器、２２…ノズルヘッド、２３…ノズル
【図１】
0003230766.tif 000003
【図２】
0003230766.tif 000004
【図３】
0003230766.tif 000005